(57)【要約】【課題】シリンジのオスルアーとＩＳＯ８０３６９−３に準拠したオスコネクタとを接続する。【解決手段】ダブルメスコネクタ１は、一端に第１オスルアー６０が挿入される第１挿入部１０を備え、他端に第２オスルアー７０が挿入される第２挿入部２０を備える。第１挿入部と第２挿入部とは連通している。第１挿入部の内周面は、先端側が拡径した第１テーパ面１２であり、第２挿入部の内周面は、先端側が拡径した第２テーパ面２２である。第２挿入部の外周面には雄ネジ２６が形成されている。ダブルメスコネクタの外周面の雄ネジ以外の位置に、外方向に突出したフランジ３０が形成されている。ダブルメスコネクタの全体は樹脂材料を用いて一体的に形成されている。【選択図】図１
2015051095.tif 000002
【特許請求の範囲】
【請求項１】
一端に第１オスルアーが挿入される第１挿入部を備え、他端に第２オスルアーが挿入される第２挿入部を備え、前記第１挿入部と前記第２挿入部とが連通したダブルメスコネクタであって、
前記第１挿入部の内周面は、先端に近づくにしたがって内径が大きくなる第１テーパ面であり、
前記第２挿入部の内周面は、先端に近づくにしたがって内径が大きくなる第２テーパ面であり、
前記第２挿入部の外周面には、雄ネジが形成されており、
前記ダブルメスコネクタの外周面の前記雄ネジ以外の位置に、外方向に突出したフランジが形成されており、
全体が樹脂材料を用いて一体的に形成されていることを特徴とするダブルメスコネクタ。
【請求項２】
前記第１オスルアーが、シリンジの外筒の口部に設けられている請求項１に記載のダブルメスコネクタ。
【請求項３】
前記第２挿入部の前記第２テーパ面と前記雄ネジとは、ＩＳＯ８０３６９−３に準拠している請求項１に記載のダブルメスコネクタ。
【請求項４】
前記フランジは、前記第１挿入部と前記第２挿入部との間に設けられている請求項１に記載のダブルメスコネクタ。
【発明の詳細な説明】
【技術分野】
【０００１】
本発明は、オスルアーが挿入される挿入部を両端に備えたダブルメスコネクタに関する。特に、経腸栄養療法などにおいて使用される２つのチューブの末端のオスコネクタ同士を接続するために使用されるダブルメスコネクタに関する。
【背景技術】
【０００２】
経口によらずに患者に栄養や薬剤を投与する方法として経腸栄養療法が知られている。経腸栄養療法では、患者の鼻腔から胃又は十二指腸にまで挿入された経鼻カテーテル又は患者の腹に形成された胃ろうに挿入されたＰＥＧ（Percutaneous Endoscopic Gastrostomy）カテーテルを介して栄養剤、流動食、又は薬剤などの液状物（一般に「経腸栄養剤」と呼ばれる）が患者に投与される。患者に投与される液状物は、容器に貯留される。容器の流出ポートには、柔軟性を有するチューブからなる栄養セットが接続される。栄養セットの下流側端は、患者に挿入された経鼻カテーテル又はＰＥＧカテーテル（以下、これらを総称して「カテーテル」という）の上流側端に接続される。一般に、栄養セットの下流側端には、オスコネクタが設けられている。一方、カテーテルの上流側端には、当該オスコネクタと接続可能なメスコネクタが設けられている。オスコネクタ及びメスコネクタとしては、様々な形状のものが実際に使用されている（例えば特許文献１参照）。
【０００３】
ところで、経腸栄養療法において投与された液状物が低粘度の液体であると、液状物が胃から食道に逆流して肺炎を併発したり、液状物の水分が体内で十分に吸収されないために下痢したりする等の問題がある。そこで、経腸栄養療法では、液状物を、トロミ剤や増粘剤を加える等して高粘度化（即ち、半固形化）させることが多い。このような高粘度化した液状物は、流動性が低いので、チューブを通過する際の抵抗が大きい。従って、液状物を患者に投与する際には、液状物は圧力を加えて圧送される。
【０００４】
そのため、栄養セットとカテーテルとを接続するコネクタは、液状物に印加される圧力に耐えることができるように、互いに係合し合うロック機構を備えることが望まれる。そこで、このような用途に使用されるオスコネクタ及びメスコネクタが栄養系の医療機器に関する国際規格ＩＳＯ８０３６９−３として国際標準化することが検討されている。図５Ａ及び図５Ｂに示すように、ＩＳＯ８０３６９−３として検討されているオスコネクタ９０１は、筒状のオスルアー９１０を取り囲む雌ネジ９１６を有する。一方、図６Ａ及び図６Ｂに示すように、ＩＳＯ８０３６９−３として検討されているメスコネクタ９０２は、オスルアー９１０が挿入される円筒状の挿入部（メスルアー）９２０の外周面に雄ネジ９２６を有する。オスコネクタ９０１とメスコネクタ９０２とは、オスルアー９１０を挿入部９２０に挿入し、且つ、雌ネジ９１６と雄ネジ９２６とを螺合させることにより接続される。オスコネクタ９０１とメスコネクタ９０２とは、液密性（液状物に圧力を加えてもオスコネクタとメスコネクタとの接続部分から液状物が漏れ出さない性質）と接続強度（接続されたオスコネクタとメスコネクタとが引張り力を加えても分離しない性質）に優れた接続を提供する。
【０００５】
このようなオスコネクタ９０１及びメスコネクタ９０２が国際規格として採用されれば、メスコネクタ９０２を下流側端に設けた栄養セット、及び、オスコネクタ９０１を上流側端に設けたカテーテルが、実用化される可能性が高い。
【先行技術文献】
【特許文献】
【０００６】
【特許文献１】国際公開第２００８／１５２８７１号パンフレット
【発明の概要】
【発明が解決しようとする課題】
【０００７】
実際の医療の現場では、液状物を圧送するために、シリンジが用いられることがある。この場合、患者に投与する液状物をシリンジに貯留し、シリンジのオスルアー（口部）をカテーテルの上流側端に接続して、当該液状物を加圧して患者に注入される。従って、シリンジのオスルアーと、ＩＳＯ８０３６９−３に準拠したオスコネクタを上流側端に備えたカテーテルとを接続することが要望される。
【０００８】
本発明は、シリンジのオスルアーとＩＳＯ８０３６９−３に準拠したオスコネクタとを接続することができるダブルメスコネクタを提供することを目的とする。
【課題を解決するための手段】
【０００９】
本発明のダブルメスコネクタは、一端に第１オスルアーが挿入される第１挿入部を備え、他端に第２オスルアーが挿入される第２挿入部を備える。前記第１挿入部と前記第２挿入部とは連通している。前記第１挿入部の内周面は、先端に近づくにしたがって内径が大きくなる第１テーパ面である。前記第２挿入部の内周面は、先端に近づくにしたがって内径が大きくなる第２テーパ面である。前記第２挿入部の外周面には、雄ネジが形成されている。前記ダブルメスコネクタの外周面の前記雄ネジ以外の位置に、外方向に突出したフランジが形成されている。前記ダブルメスコネクタの全体が樹脂材料を用いて一体的に形成されている。
【発明の効果】
【００１０】
本発明によれば、第１挿入部にシリンジのオスルアーを接続し、且つ、第２挿入部及び雄ネジにＩＳＯ８０３６９−３に準拠したオスコネクタを接続することができる。従って、例えば、シリンジと、ＩＳＯ８０３６９−３に準拠したオスコネクタを上流側端に備えたカテーテルとを、本発明のダブルメスコネクタを介して接続することができる。
【００１１】
ダブルメスコネクタの外周面からフランジが突出している。フランジは、ダブルメスコネクタと第１及び第２オスルアーとの接続作業をする際や、シリンジ内の液状物を押し出す際に、ダブルオスコネクタを保持するために使用することができる。
【００１２】
ダブルメスコネクタ全体が樹脂材料を用いて一体的に形成されている。これにより、ダブルメスコネクタの製造が容易になる。
【図面の簡単な説明】
【００１３】
【図１】図１Ａは、本発明の一実施形態にかかるダブルメスコネクタの第１挿入部側から見た斜視図である。図１Ｂは、当該ダブルメスコネクタの第２挿入部側から見た斜視図である。図１Ｃは、当該ダブルメスコネクタの断面図である。
【図２】図２は、本発明の一実施形態にかかるダブルメスコネクタの第１挿入部に接続される第１オスルアーを備えたシリンジの斜視図である。
【図３】図３Ａは、本発明の一実施形態にかかるダブルメスコネクタの第２挿入部に接続されるオスコネクタの斜視図である。図３Ｂは、当該オスコネクタの中心軸を含む面に沿った断面図である。
【図４】図４Ａ〜図４Ｃは、本発明の一実施形態にかかるダブルメスコネクタを介してシリンジの第１オスルアーとオスコネクタとを接続する過程を順に示した斜視図である。
【図５】図５Ａは、ＩＳＯ８０３６９−３として検討されているオスコネクタの斜視図である。図５Ｂは、当該オスコネクタの中心軸を含む面に沿った断面図である。
【図６】図６Ａは、ＩＳＯ８０３６９−３として検討されているメスコネクタの斜視図である。図６Ｂは、当該メスコネクタの中心軸を含む面に沿った断面図である。
【発明を実施するための形態】
【００１４】
上記の本発明のダブルメスコネクタにおいて、前記第１オスルアーが、シリンジの外筒の口部に設けられていることが好ましい。
【００１５】
前記第２挿入部の前記第２テーパ面と前記雄ネジとは、ＩＳＯ８０３６９−３に準拠していることが好ましい。これにより、本発明のダブルメスコネクタとＩＳＯ８０３６９−３に準拠したオスコネクタとを、ＩＳＯ８０３６９−３にしたがって接続することができる。
【００１６】
前記フランジは、前記第１挿入部と前記第２挿入部との間に設けられていることが好ましい。これにより、フランジは、第１挿入部の開口及び第２挿入部の開口のいずれからも適度に離れるので、作業者の手によって、第１テーパ面や第２テーパ面が汚染される可能性が低くなる。
【００１７】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。以下の各図では、実際の部材の寸法および各部材の寸法比率等が忠実に表されていない。
【００１８】
＜ダブルメスコネクタの構成＞
図１Ａ及び図１Ｂは、本発明の一実施形態のかかるダブルメスコネクタ１の斜視図である。図１Ｃは、ダブルメスコネクタ１の断面図である。図１Ｃにおいて、一点鎖線１ａはダブルメスコネクタ１の中心軸である。
【００１９】
ダブルメスコネクタ１は、一端に第１オスルアー６０（後述する図２参照）が挿入される円筒状の第１挿入部１０を備え、他端に第２オスルアー７０（後述する図３Ａ参照）が挿入される円筒状の第２挿入部２０を備える。ダブルメスコネクタ１は、両端がメスコネクタであるメス−メスコネクタである。
【００２０】
第１挿入部１０の内周面は、その先端に近づくにしたがって内径が大きくなるテーパ面（第１テーパ面）１２である。第１テーパ面１２の形状（内径、テーパ角度など）は、制限はないが、例えばシリンジのオスルアーに適合するメスコルアーとして一般的なＩＳＯ５９４−１に準拠した６／１００テーパ面であってもよい。
【００２１】
本実施形態では、第１挿入部１０の外周面１４も、第１テーパ面１２と略同一のテーパ角度を有するテーパ面である。但し、本発明では、第１挿入部１０の外周面１４の形状は任意である。例えば、第１テーパ面１２とテーパ角度が異なるテーパ面であってもよく、あるいは、外径が中心軸１ａ方向において一定であってもよい。また、中心軸１ａに垂直な面に沿った外周面１４の断面形状は円形である必要はなく、例えば正多角形などの任意の形状であってもよい。
【００２２】
第２挿入部２０の内周面も、その先端に近づくにしたがって内径が大きくなるテーパ面（第２テーパ面）２２である。挿入部２０の外周面には雄ネジ２６が形成されている。第２テーパ面２２の形状（内径、テーパ角度など）及び雄ネジ２６の形状（径、ピッチなど）は、制限はないが、ＩＳＯ８０３６９−３のメスコネクタ（図６Ａ、図６Ｂ参照）に準拠していることが好ましい。本実施形態では、雄ネジ２６は、挿入部２０の外周面の周方向の全領域に形成されているが、図６Ａの雄ネジ９２６と同様に挿入部２０の外周面の周方向の一部のみに形成されていてもよい。このように、雄ネジ２６が周方向に分断されていると、雄ネジ２６の不連続部分を利用して雄ネジ２６の清掃を容易に行うことができる。
【００２３】
第１挿入部１０と第２挿入部２０との間に、半径方向に沿って外向きに突出したフランジ３０が形成されている。フランジ３０の外径は、フランジ３０に中心軸１ａ方向に隣接する部分（即ち、第１挿入部１０のフランジ３０の近傍部分、及び、第２挿入部２０（又は雄ネジ２６）のフランジ３０の近傍部分）の外径よりも大きい。
【００２４】
流路９が、中心軸１ａに沿ってダブルメスコネクタ１を貫通している。この結果、第１挿入部１０と第２挿入部２０とは、流路９を介して互いに連通している。
【００２５】
ダブルメスコネクタ１は樹脂材料からかなり、実質的に変形しないとみなしうる程度の高い剛性を有する硬質材料からなることが好ましい。硬質材料としては、例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。ダブルメスコネクタ１は、樹脂材料を用いて射出成形等の方法により全体が一部品として一体的に形成される。これにより、ダブルメスコネクタ１の製造が容易になる。更に、樹脂材料が硬質材料であることにより、ダブルメスコネクタ１の強度、耐久性が向上する。なお、本発明において「一体的に形成」とは、二色成形法により作成する場合を含むが、別個に作成した複数の部品を嵌合したり融着したり接着剤等を用いたりして一体化する場合を含まない。
【００２６】
＜ダブルメスコネクタに接続される第１オスルアー＞
ダブルメスコネクタ１に接続される第１オスルアーの一例を説明する。
【００２７】
図２は、ダブルメスコネクタ１の第１挿入部１０に接続される第１オスルアー６０を備えたシリンジ６の斜視図である。
【００２８】
シリンジ６は、略円筒形状を有する外筒６３と、外筒６３の後端の開口に挿抜可能に挿入されたプランジャ６７とを備える。外筒６３の後端には、作業者がプランジャ６７を外筒６３内に押し込む動作をする際に外筒６３を保持するための、外方向に突出した指掛け用フランジ６５が設けられている。プランジャ６７の先端には、外筒６３の内周面上を液密に封止しながら摺動するガスケット（図示せず）が装着されている。
【００２９】
外筒６３の前端の口部に、筒状の第１オスルアー６０が設けられている。第１オスルアー６０の外周面は、その先端に近づくにしたがって外径が小さくなるテーパ面６２である。テーパ面６２の形状（内径、テーパ角度など）は、制限はないが、例えばＩＳＯ５９４−１に準拠した６／１００テーパ面であってもよい。
【００３０】
第１オスルアー６０を含む外筒６３の材料は、制限はないが、実質的に変形しないとみなしうる程度の高い剛性を有する硬質材料からなることが好ましい。例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。
【００３１】
シリンジ６内には、経腸栄養療法において患者に注入される栄養剤等の液状物が貯留される。
【００３２】
＜ダブルメスコネクタに接続されるオスコネクタ＞
ダブルメスコネクタ１に接続されるオスコネクタの一例を説明する。
【００３３】
図３Ａは、ダブルメスコネクタ１の第２挿入部２０に接続されるオスコネクタ７の斜視図である。図３Ｂは、オスコネクタ７の中心軸を含む面に沿った断面図である。
【００３４】
オスコネクタ７は、一端に、第２挿入部２０に挿入される筒状の第２オスルアー７０を備える。第２オスルアー７０の外周面は、その先端に近づくにしたがって外径が小さくなるテーパ面７２である。第２オスルアー７０を取り囲むように、筒状部７５が設けられている。筒状部７５の内周面（第２オスルアー７０に対向する面）には雌ネジ７６が形成されている。テーパ面７２の形状（外径、テーパ角度など）及び雌ネジ７６の形状（径、ピッチなど）は、ＩＳＯ８０３６９−３のオスコネクタ（図５Ａ、図５Ｂ参照）に準拠している。
【００３５】
オスコネクタ７の他端は、柔軟なチューブ７９が接続される基端部７８である。基端部７８とチューブ７９との接続方法は、制限はないが、接着剤を使用する方法、熱融着による方法など、任意の方法を使用しうる。
【００３６】
オスコネクタ７の材料は、制限はないが、実質的に変形しないとみなしうる程度の高い剛性を有する硬質材料からなることが好ましい。例えば、ポリアセタール、ポリカーボネート、ポリスチレン、ポリアミド、ポリプロピレン、ポリエチレン、硬質ポリ塩化ビニル、ＡＢＳ（アクリル−ブタジエン−スチレン共重合体）等の樹脂材料を用いることができる。
【００３７】
オスコネクタ７及びチューブ７９は、経腸栄養療法に従来から使用されているＰＥＧカテーテルや経鼻カテーテルなどのカテーテルの一部を構成する。オスコネクタ７は、カテーテルの上流側端に設けられるオスコネクタである。チューブ７９のオスコネクタ７とは反対側端（下流側端）は、患者に挿入される。
【００３８】
＜ダブルメスコネクタの使用方法＞
図４Ａに示すように、ダブルメスコネクタ１は、シリンジ６の第１オスルアー６０とカテーテルの上流側端に設けられたオスコネクタ７とをダブルメスコネクタ１を介して接続するために使用される。以下に、ダブルメスコネクタ１の使用方法を説明する。
【００３９】
最初に、ダブルメスコネクタ１とオスコネクタ７とを接続する。即ち、ダブルメスコネクタ１の第２挿入部２０にオスコネクタ７の第２オスルアー７０を挿入する。そして、オスコネクタ７に対してダブルメスコネクタ１を回転させて、ダブルメスコネクタ１の雄ネジ２６とオスコネクタ７の雌ネジ７６とを螺合させる。このとき、フランジ３０にてダブルメスコネクタ１を把持すると、螺合操作を容易に行うことができる。第２挿入部２０の第２テーパ面２２（図１Ｃ参照）の形状は、第２オスルアー７０のテーパ面７２（図３Ｂ参照）の形状と一致するので、第２テーパ面２２とテーパ面７２とは密着する。従って、雄ネジ２６と雌ネジ７６とをしっかりと螺合させることにより、図４Ｂに示すように、ダブルメスコネクタ１とオスコネクタ７とは液密に接続される。
【００４０】
次いで、図４Ｂに示すように、ダブルメスコネクタ１とシリンジ６とを接続する。即ち、シリンジ６の外筒６３の第１オスルアー６０をダブルメスコネクタ１の第１挿入部１０に挿入する。このときも、ダブルメスコネクタ１は、フランジ３０にて保持することが好ましい。フランジ３０を保持することにより、ダブルメスコネクタ１に第１オスルアー６０に向かう力を印加し易い。第１挿入部１０の第１テーパ面１２（図１Ｃ参照）の形状は、第１オスルアー６０のテーパ面６２（図２参照）の形状と一致するので、第１テーパ面１２とテーパ面６２とは密着する。従って、第１挿入部１０と第１オスルアー６０とは液密に接続される。
【００４１】
上記とは逆に、最初にダブルメスコネクタ１とシリンジ６とを接続し、次いで、ダブルメスコネクタ１とオスコネクタ７とを接続してもよい。但し、この接続方法は、雄ネジ２６と雌ネジ７６とを螺合させる際に、シリンジ６を回転させなければならないので、当該螺合作業が煩雑である。
【００４２】
ダブルメスコネクタ１とシリンジ６及びオスコネクタ７との分離は、上記とは逆の操作を行うことにより可能である。
【００４３】
以上のように、本実施形態のダブルメスコネクタ１は、一端に、シリンジ６のオスルアー６０に対応した第１挿入部１０を備え、他端に、ＩＳＯ８０３６９−３に準拠したオスコネクタ７に対応した第２挿入部２０及び雄ネジ２６を備えている。従って、ＩＳＯ８０３６９−３に準拠していない第１オスルアー６０を備えたシリンジ６と、ＩＳＯ８０３６９−３に準拠したオスコネクタ７を上流側端に備えたカテーテルとを、ダブルメスコネクタ１を介して接続することができる。
【００４４】
ダブルメスコネクタ１と第１オスルアー６０とは、第１オスルアー６０とそれに適合した従来のメスルアーとの接続と同等の液密性及び接続強度で接続される。
【００４５】
ダブルメスコネクタ１とオスコネクタ７とは、ＩＳＯ８０３６９−３に準拠して接続されるから、ＩＳＯ８０３６９−３のオスコネクタ９０１（図５Ａ、図５Ｂ参照）とメスコネクタ９０２（図６Ａ、図６Ｂ参照）との接続と同等の液密性及び接続強度で接続される。
【００４６】
ダブルメスコネクタ１は、外方向に突出したフランジ３０を備えている。
【００４７】
作業者は、ダブルメスコネクタ１とオスコネクタ７及びシリンジ６とを接続する際に、フランジ３０にてダブルメスコネクタ１を把持することができる。これにより、第１挿入部１０の開口や第２挿入部２０の開口に作業者が手を触れる可能性が低くなるので、第１テーパ面１２や第２テーパ面２２が汚染される可能性が低くなる。また、作業者の手が誤ってオスルアー６０，７０に触れてオスルアー６０，７０が汚染される可能性も低くなる。
【００４８】
また、図４Ｃのようにダブルメスコネクタ１を介してシリンジ６とオスコネクタ７とを接続した状態で、シリンジ６のプランジャ６７（図２参照）を外筒６３内に押し込んでシリンジ６内の液状物を圧送する際、作業者は、外筒６３とともにダブルメスコネクタ１のフランジ３０を保持することができる。これにより、液状物に印加された圧力によって、第１オスルアー６０からダブルメスコネクタ１が分離したり、第１オスルアー６０と第１挿入部１０との接続部分から液状物が漏れ出したりするトラブルが発生する可能性が低減する。
【００４９】
ダブルメスコネクタ１の全体が硬質材料を用いて一体的に形成されているので、上述したようにフランジ３０を把持してダブルメスコネクタ１とオスコネクタ７及びシリンジ６とを接続する際、及び、フランジ３０を保持してプランジャ６７を押し込む際に、ダブルメスコネクタ１が変形する（例えば、第１挿入１０が捩れ変形又は座屈変形する）ことがない。従って、これらの作業を安定的に効率よく行うことができる。
【００５０】
フランジ３０は、第１挿入部１０と第２挿入部２０との間に設けられている。これにより、フランジ３０は、第１挿入部１０の開口及び第２挿入部２０の開口のいずれからも適度に離れるので、作業者の手によって、第１テーパ面１２や第２テーパ面２２、更にはオスルアー６０，７０が汚染される可能性が低くなる。但し、フランジ３０の中心軸１ａ方向における位置はこれに限定されない。フランジ３０は、ダブルメスコネクタ１の外周面の雄ネジ２６以外の任意の位置に設けることができる。例えば、第１挿入部１０に設けてもよく、第１挿入部１０の先端（第２挿入部２０とは反対側端）に設けてもよい。但し、上述した第１テーパ面１２やオスルアー６０が汚染されるのを防止する観点からは、第１挿入部１０の先端から離れた位置に設けられることが望ましい。
【００５１】
また、フランジ３０の中心軸１ａ方向の寸法は、任意に設定することができる。フランジ３０は、上記の実施形態のように中心軸１ａ方向の寸法が小さい略円板形状である必要はなく、中心軸１ａ方向寸法が相対的に大きな柱状形状であってもよい。
【００５２】
上記の実施形態では、中心軸１ａに沿って見たフランジ３０の外形は円形であったが、フランジ３０の外形形状はこれに限定されない。フランジ３０を把持したときの滑りを防止するために、中心軸１ａに沿って見たフランジ３０の外形形状は、例えば、多角形（正三角形、正方形、正六角形などの正多角形、菱形など）、楕円形、長円形（陸上競技のトラックに近似した形状）など、任意の形状を選択しうる。フランジ３０の外周面（中心軸１ａとは反対側の面）及び中心軸１ａ方向に対向する主面（第１挿入部１０側の面及び第２挿入部２０側の面）のうちの任意の面に、滑りを防止するために、凸部（点状突起、リブ状突起など）や凹部（点状凹部、溝など）などの凹凸形状が形成されていてもよい。
【産業上の利用可能性】
【００５３】
本発明の利用分野は、制限はないが、従来から使用されているシリンジと、ＩＳＯ８０３６９−３に準拠したオスコネクタとを接続するためのコネクタとして利用することができる。上記の実施形態では、本発明を経腸栄養療法の分野で利用する場合を説明したが、経腸栄養療法以外の医療分野はもちろん、医療以外の分野（例えば食品、化学等の分野）においても利用することができる。
【符号の説明】
【００５４】
１  ダブルメスコネクタ
６  シリンジ
６３  シリンジの外筒
９  流路
１０  第１挿入部
１２  第１テーパ面
２０  第２挿入部
２２  第２テーパ面
２６  雄ネジ
３０  フランジ
６０  第１オスルアー
７０  第２オスルアー
【図１】
2015051095.tif 000003
【図２】
2015051095.tif 000004
【図３】
2015051095.tif 000005
【図４】
2015051095.tif 000006
【図５】
2015051095.tif 000007
【図６】
2015051095.tif 000008